【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
交換レンズと撮像装置を含む撮像システムに偏光を用いた撮像を行わせるアダプタ装置であって、
偏光透過軸の方位が可変である偏光軸可変素子と、
前記偏光軸可変素子を動作させる駆動手段と、
前記交換レンズを着脱可能とする第１のマウントと、
前記撮像装置を着脱可能とする第２のマウントと、
前記撮像装置との間で通信を行うための通信部とを有し、
前記駆動手段は、前記撮像において前記偏光透過軸の方位が三つ以上の方位になるように前記偏光軸可変素子を動作させることを特徴とするアダプタ装置。
【請求項２】
前記通信部は撮像開始信号を前記撮像装置から受信し、前記駆動手段は前記撮像開始信号に応じて前記偏光軸可変素子を動作させることを特徴とする請求項１に記載のアダプタ装置。
【請求項３】
前記通信部は、前記撮像における前記偏光透過軸の方位に関する情報を前記撮像装置に送信することを特徴とする請求項１または２に記載のアダプタ装置。
【請求項４】
前記通信部は、前記偏光透過軸の方位の設定の完了を示す情報を前記撮像装置に送信することを特徴とする請求項１から３のいずれか一項に記載のアダプタ装置。
【請求項５】
前記通信部は、前記撮像の終了を示す情報を前記撮像装置から受信することを特徴とする請求項１から４のいずれか一項に記載のアダプタ装置。
【請求項６】
前記通信部は、前記撮像システムの撮像指示ボタンが半押し操作された場合に、前記偏光透過軸の初期方位への設定の完了を示す情報を前記撮像装置に送信することを特徴とする請求項１から５のいずれか一項に記載のアダプタ装置。
【請求項７】
前記通信部は、前記撮像システムの撮像指示ボタンが半押し操作された場合に、前記偏光透過軸を初期方位に設定するように前記駆動手段を制御することを特徴とする請求項１から６のいずれか一項に記載のアダプタ装置。
【請求項８】
前記通信部は、前記撮像システムの撮像指示ボタンが半押し操作された後一定時間内に全押し操作されなかった場合に、前記偏光透過軸を初期方位に設定するように前記駆動手段を制御することを特徴とする請求項１から７のいずれか一項に記載のアダプタ装置。
【請求項９】
前記偏光軸可変素子は、前記第１のマウントの側から順に配置された、１／４λ板と、位相差を可変とする可変位相板と、偏光板とを含み、
前記可変位相板の主軸の方向は、前記１／４λ板の主軸および前記偏光板の偏光透過軸の方向に対して傾いており、
前記駆動手段は、前記可変位相板の位相差が変化するように該可変位相板を動作させることによって前記偏光透過軸の方位を変化させることを特徴とする請求項１から８のいずれか一項に記載のアダプタ装置。
【請求項１０】
前記可変位相板は、液晶を含む位相板であることを特徴とする請求項９に記載のアダプタ装置。
【請求項１１】
前記偏光軸可変素子は、前記第１のマウントの側から順に配置された、偏光板と、１／４λ板とを含み、
前記偏光板の偏光透過軸の方向は、前記１／４λ板の主軸の方向に対して傾いており、
前記駆動手段は、前記偏光軸可変素子を回転させることによって前記偏光透過軸の方位を変化させることを特徴とする請求項１から８のいずれか一項に記載のアダプタ装置。
【請求項１２】
請求項１から１１のいずれか一項に記載のアダプタ装置を用いて撮像を行う撮像装置であって、
前記偏光軸可変素子の前記偏光透過軸の三つ以上の方位ごとに撮像を行うことを特徴とする撮像装置。
【請求項１３】
前記撮像により得られた撮像画像から、最大偏光強度と、最小偏光強度と、前記最大偏光強度を与える偏光方位とを含む偏光情報を取得することを特徴とする請求項１２に記載の撮像装置。
【請求項１４】
前記偏光情報を用いて、前記撮像画像とは異なる画像を生成することを特徴とする請求項１３に記載の撮像装置。
【請求項１５】
前記撮像における前記偏光透過軸の方位に関する情報を前記通信部から受信し、該情報を前記撮像により得られた撮像画像と関連付けて保存することを特徴とする請求項１２から１４のいずれか一項に記載の撮像装置。
【請求項１６】
請求項１から１１のいずれか一項に記載のアダプタ装置と、前記第１のマウントを介して前記アダプタ装置に装着された前記交換レンズと、前記第２のマウントを介して前記アダプタ装置に装着された前記撮像装置とを備えることを特徴とする撮像システム。
【手続補正２】
【補正対象書類名】明細書
【補正対象項目名】発明の名称
【補正方法】変更
【補正の内容】
【発明の名称】アダプタ装置、撮像装置および撮像システム
【手続補正３】
【補正対象書類名】明細書
【補正対象項目名】０００１
【補正方法】変更
【補正の内容】
【０００１】
本発明は、撮像画像から偏光情報を取得するために用いられるアダプタ装置に関する。
【手続補正４】
【補正対象書類名】明細書
【補正対象項目名】０００９
【補正方法】変更
【補正の内容】
【０００９】
本発明の一側面としてのアダプタ装置は、交換レンズと撮像装置を含む撮像システムに偏光を用いた撮像を行わせる。アダプタ装置は、偏光透過軸の方位が可変である偏光軸可変素子と、該偏光軸可変素子を動作させる駆動手段と、交換レンズを着脱可能とする第１のマウントと、撮像装置を着脱可能とする第２のマウントと、撮像装置との間で通信を行うための通信部とを有する。駆動手段は、撮像において偏光透過軸の方位が三つ以上の方位になるように偏光軸可変素子を動作させることを特徴とする。
【手続補正５】
【補正対象書類名】明細書
【補正対象項目名】００１０
【補正方法】変更
【補正の内容】
【００１０】
なお、上記アダプタ装置を用いて撮像を行う撮像装置であって、偏光軸可変素子の偏光透過軸の三つ以上の方位ごとに撮像を行う撮像装置も、本発明の他の一側面を構成する。
【手続補正６】
【補正対象書類名】明細書
【補正対象項目名】００１１
【補正方法】変更
【補正の内容】
【００１１】
本発明によれば、被写体や撮像条件が制限されることなく、撮像後に撮像画像の偏光情報を取得可能とするアダプタ装置を実現することができる。そして、このアダプタ装置を用いて取得した偏光情報を用いれば、撮像画像とは異なる画像を生成することも可能となる。
【手続補正７】
【補正対象書類名】明細書
【補正対象項目名】００２２
【補正方法】変更
【補正の内容】
【００２２】
このとき、可変位相板２の位相差Δλと偏光軸可変素子の透過軸の方位θは、
θ＝９０−Δ×１８０（度）
なる関係を満たす。ただし、位相差をδ（ｎｍ）、波長をλ（ｎｍ）としたとき、Δ=δ／λとなる。例えば、位相差が０λ、１／４λ、１／２λおよび３／４λのときにはそれぞれ、透過軸の方位θは９０度、４５度、０度および−４５度となる。このため、可変位相板２の位相差を変える（つまりは偏光軸可変素子の状態を変化させる）ことで偏光軸可変素子の透過軸の方位を変えることができる。
【手続補正８】
【補正対象書類名】明細書
【補正対象項目名】００２５
【補正方法】変更
【補正の内容】
【００２５】
可変位相板２の位相差を０λ、１／２λおよび３／４λに変えると、同様に、偏光軸可変素子の透過軸の方位は、９０度、０度および−４５度（１３５度）と変化する。つまり、可変位相板２の位相差Δλ（ｎｍ）と透過偏光方位θ（度）は、先に示した、
θ＝９０−Δ×１８０（度）
なる関係を満たす。